(57)【要約】【課題】  指を外側に開かせようとする部材が歩行中に不用意にずれてしまうこともなく、さらには親指を外側に開かせようとする場合に、痛みなどを生じさせずに、自然な形で長時間装着することを可能にする外反母趾予防用サポータを提供する。【解決手段】  伸縮性材料により、足の親指側側面４ａおよび足の小指側側面４ｂの間を、ループ状に跨がるように装着される第１装着部分４と、足の踵部を中心に左右に跨って装着される紐状の第２装着部分６とにより、略中央部に足の入る孔８が形成されるとともに、  前記第１装着部分４には、親指が入る第１通路１０と、親指以外の指が入る第２通路１２とが形成され、これら第１通路１０と第２通路１２との間の境界部分に画成された緩衝体収容室１６に、圧縮変形自在な緩衝体１４が収容されていることを特徴としている。【選択図】図１
2005245571.tif 000002
【特許請求の範囲】
【請求項１】
足の親指側側面および足の小指側側面の間を、ループ状に跨がるように装着される伸縮性材料からなる第１装着部分と、足の踵部を中心に左右に跨って装着される伸縮性材料からなる紐状の第２装着部分とにより、略中央部に足の入る孔が形成されるとともに、
前記第１装着部分には、親指が入る第１通路と、親指以外の指が入る第２通路とが形成され、これら第１通路と第２通路との間の境界部分に画成された緩衝体収容室に、圧縮変形自在な緩衝体が収容されていることを特徴とする伸縮機能を備えた外反母趾予防用サポータ。
【請求項２】
前記第１装着部分の足裏側の略全面に、滑り止め部材が配置されていることを特徴とする請求項１に記載の伸縮機能を備えた外反母趾予防用サポータ。
【請求項３】
前記滑り止め部材は、木綿などの非伸縮性の部材により形成されていることを特徴とする請求項１に記載の伸縮機能を備えた外反母趾予防用サポータ。
【請求項４】
前記緩衝体収容室は、前記緩衝体が収容された後に、その開口部が封止されていることを特徴とする請求項１に記載の伸縮機能を備えた外反母趾予防用サポータ。
【請求項５】
前記緩衝体は、指の付け根側に位置する部分の幅が狭く、指の爪先側の幅が広く、かつ指の付け根側の高さが高く、指の爪先側の高さが低く形成されていることを特徴とする請求項１に記載の伸縮機能を備えた外反母趾予防用サポータ。
【請求項６】
前記緩衝体は、スポンジなどの多孔質体から構成されていることを特徴とする請求項１または５に記載の伸縮機能を備えた外反母趾予防用サポータ。
【請求項７】
前記緩衝体は、バイアス編みにより形成された袋に包まれていることを特徴とする請求項１に記載の伸縮機能を備えた外反母趾予防用サポータ。
【発明の詳細な説明】
【技術分野】
【０００１】
本発明は伸縮機能を備えた外反母趾予防用サポータに関するもので、詳しくは、足の親指が外側に反ってしまう、いわゆる外反母趾などの痛みを和らげるとともに、指の変形を防止するのに好適な伸縮機能を備えた外反母趾予防用サポータに関する。
【背景技術】
【０００２】
例えば、先の尖った靴など自分の足の形に合わない靴を長い期間、履くなどの理由により、女性を始めとして多くの人が外反母趾と称される足指の変形に悩まされている。
ところで、この外反母趾は、親指が第２趾の方に大きく屈曲している状態を指しているが、一旦、外反母趾の傾向を示してしまうと、次第に足の変形が大きくなり、悪化すると歩行が困難になるなどの不具合がある。また、内臓にも良くない影響がでることが知られている。
【０００３】
そこで、従来から様々な矯正具または予防具が提供されている（例えば、特許文献１）。
上記特許文献１に開示された予防用靴下は、親指が入る袋部と、他の指が入る袋部との間に、軟質、硬質などの固形物が入る固形物用袋部を設けて、親指が隣の指から離れて外側へ開くように構成されている。
【特許文献１】特許第２５３９１７４号公報
【発明の開示】
【発明が解決しようとする課題】
【０００４】
しかしながら、上記公報に開示された従来の予防用靴下は、その名前にあるように、足全体を覆う通常の靴下と同じようにして身に付けるため、歩くという通常の使用状態でも、予防用靴下が靴あるいは床面などの接触面との間でこすれて、全体的に移動してしまい、指の間から固形物が外れやすいという問題がある。
【０００５】
さらに、上記公報の予防用靴下では、指の間に挟まれる固形物は、指の付け根側と指の爪先側とで，大きさに違いがなく、全て同じ幅、同じ高さに形成されているので、使用者にとっては、強く当たる部分と弱く当たる部分とが生じてしまい、結果として履き心地が悪いという問題が生じていた。
【０００６】
本発明は、このような従来の問題に鑑み、指を外側に開かせようとする部材が歩行中に不用意にずれてしまうこともなく、さらには親指を外側に開かせようとする場合に、痛みなどを生じさせずに、自然な形で長時間装着することを可能にする外反母趾予防用サポータを提供することを目的としている。
【課題を解決するための手段】
【０００７】
上記目的を達成するための本発明に係る伸縮機能を備えた外反母趾予防用サポータは、
足の親指側側面および足の小指側側面の間を、ループ状に跨がるように装着される伸縮性材料からなる第１装着部分と、足の踵部を中心に左右に跨って装着される伸縮性材料からなる紐状の第２装着部分とにより、略中央部に足の入る孔が形成されるとともに、
前記第１装着部分には、親指が入る第１通路と、親指以外の指が入る第２通路とが形成され、これら第１通路と第２通路との間の境界部分に画成された緩衝体収容室に、圧縮変形自在な緩衝体が収容されていることを特徴としている。
【０００８】
係る構成による本発明によれば、足の全体を覆う靴下の履き方とは異なり、踵の周りに
バンドを回すかのような仕方で身に付けるので、足の全体を覆う靴下を履いているという実感がないまま、身に付けることができる。
【０００９】
また、本発明は、前記第１装着部分の足裏側の略全面に、滑り止め部材が配置されていることが好ましい。
このような構成であれば、特に歩行中のように指先に力がかかるような場合であっても、接触面との間に適宜な摩擦力が生じるので、歩きずらくなることもない。また、この適宜な摩擦力により、足とサポータとの一体感を一層向上させることができるとともに、滑り止め部材が配置されることにより、この部分が大きく変形することがないので、内部に収容された緩衝体が移動してしまうのを防止することができる。
【００１０】
さらに，前記滑り止め部材は、木綿などの非伸縮性の部材により形成されていることが好ましい。
このような構成であれば、手ごろな材料で摩擦材としての機能を十分に発揮することができる。
【００１１】
また、前記緩衝体収容室は、前記緩衝体が収容された後に、その開口部が封止されていることが好ましい。
このような構成であれば、そのまま洗浄することができるので、清潔な状態にして長期間，繰り返し使用することができる。
【００１２】
さらに、本発明は、前記緩衝体は、指の付け根側に位置する部分の幅が狭く、指の爪先側の幅が広く、かつ指の付け根側の高さが高く、指の爪先側の高さが低く形成されていることが好ましい。
【００１３】
このような構成であれば、緩衝体が部分的に大きな力を生じさせるようなことはなく、むしろ自然な仕方で指先全体を外側に広げることができ、使用者に心地良さを感じさせることができる。しかも、甲の部分や指の裏側の部分に突出することがないので、靴下を履いた場合などに目立つこともない。
【００１４】
また、前記緩衝体は、スポンジなどの多孔質体から構成されていることが好ましい。
このような構成であれば、緩衝体が部分的に大きな力を生じさせるようなことがないのは勿論のこと、安価で緩衝体を形成することができ、しかも、洗濯しても直ぐに乾かすことができ、衛生的である。
【００１５】
さらに、前記緩衝体は、バイアス編みにより形成された袋に包まれていても良い。
このように、緩衝体が例えば、木綿などのバイアスに包まれていれば、緩衝体収容室内での動きが良好になるので、歩行などにより、指が動いたとしても、その指の動きに対して滑らかに動くことができる。
【発明の効果】
【００１６】
本発明に係る伸縮機能を備えた外反母趾予防用サポータによれば、緩衝体が親指と第二趾との間で、親指を広げる作用を行うので、指の矯正に好適であるとともに、既に、変形して外反母趾の傾向を有する人であっても、装着することにより、痛みを和らげるのに好適である。
【００１７】
さらに、第１装着部分の足裏側の略全面に滑り止め部材が配置されていれば、歩く場合などに靴あるいは床などの接触する部材との間に、適宜な摩擦力が生じるので、歩き難くなることはなく、むしろ足とサポータとの間の一体感を生じさせることができる。また、この部分の伸縮性が少なくなるので、緩衝体の移動を防止することもできる。
【００１８】
また、指先側が，伸縮性の小さい滑り止め部材で軽く締め付けられるようになるので、サポータそのものの移動を防止することができる。
さらに、緩衝体の大きさを指の付け根側が狭く、指の爪先側で広く、かつ指の付け根側で高さを高く、指の爪先側で低く形成すれば、指の開き具合に合わせて指の側面を押圧することができるので、指全体を略均一な力で押圧することができ、また指の周りから出っ張る部分などが生じることもない。したがって、外部から目立つこともなく、さらには使用者に心地よさを感じさせることができる。
【発明を実施するための最良の形態】
【００１９】
以下、図面を参照しながら、本発明の実施例について説明する。
図１は、本発明の一実施例に係る伸縮機能を備えた外反母趾予防用サポータを示したもので、特に左足用の外反母趾予防用サポータを示したものである。図２は、図１に示したサポータの裏面図である。図３は、左足に装着した場合の斜視図である。なお、本発明では、右足用も用意されるが、右足用は、左足用と対称形に形成される。
【００２０】
外反母趾予防用サポータ２は、ボディスーツやガードルと同じように、柔らかで、しかもフリーサイズとなるような伸縮機能を備えた繊維体から形成されている。したがって、このサポータ２は、足の大きさに係らず誰が身に付けても、足にぴったりとなるような良好な使用感を得ることができる。また、このサポータ２は、全体が平面視において、略三角形状に形成されているが、足の指先側で直線状の第１装着部分と、足の踵側で略Ｕ字状の第２装着部分とから構成されている。そして、これら第１装着部分４と第２装着部分６とが縫合などで一体化されて、中央部に足を挿入するための孔８が構成されている。また、孔８のまわりや足の形に沿った外側面などに、必要に応じて伸縮性に富んだ素材を混ぜ込むこともできる。
【００２１】
上記第１装着部分４は、その親指側側面４ａと小指側側面４ｂとの間に跨って、前身頃、後身頃を構成するように、互いに対面しあう一対の布部分から構成されている。また、第２装着部分６は、踵の裏側を引っ掛けるように一枚の布部分から構成されている。
【００２２】
また、第１装着部分４には、親指が入る第１通路１０と、他の指が入る第２通路１２との２つの通路が形成され、これら第１，第２通路１０，１２の境界部分に、緩衝体収容室１６が形成されている。この緩衝体収容室１６には、指の変形を矯正するためのスポンジなどの緩衝体１４が挿入される。この緩衝体１４は、例えば、親指側に形成された開口部１８から挿入されるが、収容後にこの開口部１８は封止されている。また、この緩衝体収容室１６の内部形状は、図１の状態で見て縦方向に形成されていることが好ましい。さらに、この緩衝体収容室１６は、伸縮自在な生地により輪のようになっているため、指の動きに応じて伸びたり縮んだりするので、歩行などの障害になることはない。
【００２３】
一方、第１装着部分４の裏側には、その略全面に滑り止め部材２０が配置されている。この滑り止め部材２０は、非伸縮性の木綿生地などから形成されている。
このような非伸縮性の滑り止め部材２０が第１装着部分の裏側略全面に形成されていることから、このサポータ２を実際に足に装着した場合に、横方向に引っ張っても大きく伸びることが防止されており、これとは反対に縦方向に引っ張った場合には、適宜な長さに伸びることが可能にされている。したがって、誰が履いても装着が容易であるとともに、横方向への伸縮が極めて小さいことから、横方向には無駄な動きがなく、フィット感を得ることができる。
【００２４】
一方、緩衝体収容室１６に収容される緩衝体１４は、例えば、図４に示したように、平面視において、略三角または略四角形状を呈するかのようなブロックであるが、一方の端
部１４ａの幅が広く、他方の端部１４ｂの幅が狭く形成されている。また、一方の端部１４ａの高さが低く、他方の端部１４ｂの高さが高く形成されている。このような緩衝体１４は、一方の端部１４ａ側が指の爪先側に配され、他方の端部１４ｂが指の付け根側に配される。
【００２５】
このような姿勢で緩衝体１４が緩衝体収容室１６内に移動不能に収容された後、開口部１８は縫合などにより封止されている。
したがって、本実施例では、緩衝体１４の形が指の間の隙間の形状に対応しているため、指の側面を自然な形で広げることが可能になる。また、緩衝体１４による指の側面への押圧力が部分的に強くなるような不具合はない。さらに、伸縮性に乏しい滑り止め部材２０で囲まれた範囲に収容されているので、例えば、歩行中であっても、不用意に移動してしまうことが効果的に防止されている。
【００２６】
なお、緩衝体１４は、海綿、スポンジなどのように、圧縮変形が可能な多孔質体から形成されていることが好ましい。
また、本実施例のサポータは、伸縮自在で踵側を引っ掛ける構造であるため、長時間身に付けたままでも、ずれが生じ難い。さらに、図３に示したように、親指の付け当たりに相当する部分に、若干柔らかめなパッド部材２２を配設すれば、靴やサンダルを履いた場合の押圧力を吸収することも可能である。また、足裏には、サポータを形成するための生地が存在せず、足の皮膚が露出するので、使用者に、履いていることに違和感を生じさせることがなく、まるで素足のような感覚で身に付けることができる。さらに、この外反母趾予防用サポータ２を履いた上から、ストッキング、靴下などを履くこともできる。このようにすれば、外部から目立つことはないので、外出の時などに気を使うこともない。
【００２７】
このような外反母趾予防用サポータ２は、外反母趾の治療のために使うこともできれば、外反母趾の予防のために使用することもできる。
さらに、靴下のように全体を覆う形状ではないため、夏場に使用して暑苦しく感じるようなこともない。また、このようなサポータは、外部に露見する場合があるので、美観的に好ましい適宜な材料で形成することが望ましい。
【００２８】
また、ゴムバンドや面状ファスナー（マジックテープ「登録商標」）、あるいは金属の止め環などが不要であることは勿論のこと、素足と同様の履き心地を得ることができる。
さらに、いつでも簡単に洗濯することができ、緩衝体１４も通風性が高く速く乾燥するので、清潔に保つことができる。
【００２９】
以上、本発明の一実施例による外反母趾予防用サポータについて説明したが、本発明は、上記実施例に限定されず、種々の変形が可能である。
例えば、上記実施例では、一種類のサポータ２について説明したが、例えば、Ｓ、Ｍ、Ｌなどのように、サイズの異なるものを何種類か用意することもできる。
【００３０】
また、上記実施例では、第２の通路１２に親指以外の他の指を全て挿入するようにしているが、さらに、この部分を分割して、指を２本づつ挿入することもでき、その間に、他の緩衝体１４を挟持させることもできる。
【００３１】
さらに，本実施例では、開口部１８を後に封止する構造について説明したが、この開口部１８を開いたままにすることもできる。このようにすれば、適宜な大記載の緩衝体を適宜選択して使用することもできる。
【００３２】
また、緩衝体１４の表面を木綿のバイアスなどで包んでから、緩衝体収容室１６内に収容することもできる。
このようにすれば、歩行などの際に、足の指が動いたとしても、バイアスにより、緩衝体の動きが滑らかになる。したがって、緩衝体１４に歩行などの際に無理な力が生じるようなことがない。さらに、上記実施例では、第２装着部分６は単なる紐状にしているが、この部分に足首付近を覆うような伸縮自在な布地を筒状に伸ばすこともできる。
【００３３】
このように、本発明による外反母趾予防用サポータは、種々の変更が可能である。
【図面の簡単な説明】
【００３４】
【図１】図１は、本発明の一実施例による外反母趾予防用サポータの平面図である。
【図２】図２は、図１の裏面図である。
【図３】図３は，図１に示した予防用サポータを装着した場合の斜視図である。
【図４】図４は，図１の実施例で採用された緩衝体の斜視図である。
【符号の説明】
【００３５】
２    外反母趾予防用サポータ
４    第１装着部材
４ａ  親指側側面
４ｂ  小指側側面
６    第２装着部材
８    孔
１０  第１通路
１２  第２通路
１４  緩衝体
１４ａ  一端部
１４ｂ  他端部
１６  緩衝体収容室
１８  開口部
２０  滑り止め部材
【図１】
2005245571.tif 000003
【図２】
2005245571.tif 000004
【図３】
2005245571.tif 000005
【図４】
2005245571.tif 000006